(57)【要約】【課題】長期に渡って内部に薬液を保持し、徐々に流出させる薬品処理剤を実現する。【解決手段】膨張性頁岩を焼成して得られる粒度範囲が  ０．６〜５  ｍｍである人工骨材と、この人工骨材を担体として、この人工骨材の空隙内に含浸、残留させた薬液とから薬品処理剤を構成する。【選択図】        なし【特許請求の範囲】
【請求項１】
膨張性頁岩を焼成して得られた粒度範囲が  ０．６〜５０ｍｍである人工骨材と、この人工骨材を担体として前記人工骨材の空隙内に含浸、残留させた薬液とからなることを特徴とする薬品処理材。
【請求項２】
薬液が除草薬である請求項１に記載の薬品処理材。
【請求項３】
薬液が脱臭薬である請求項１に記載の薬品処理材。
【請求項４】
薬液が殺虫薬である請求項１に記載の薬品処理材。
【請求項５】
薬液が肥料である請求項１に記載の薬品処理材。
【請求項６】
薬液が水処理剤である請求項１に記載の薬品処理材。
【請求項７】
薬液が表面張力緩和剤である請求項１に記載の薬品処理材。
【請求項８】
膨張性頁岩を焼成して発泡させ、篩分けして得られた人工骨材を  ３００〜５００  ℃に加熱し、常温の薬液内に投入して空隙内に薬液を含浸させることを特徴とする薬品処理材の製造方法。
【発明の詳細な説明】
【０００１】
【発明の属する技術分野】
本発明は、膨張性頁岩等の鉱物を焼成し発泡させて得られる人工骨材を薬剤の担体として使用する薬品処理材、ならびにその製造方法に関する。
【０００２】
【従来の技術】
除草、殺虫、防臭等の目的で対象物に対して除草剤、殺虫剤、防臭剤等の薬液を散布することは日常的に行われている。しかしこうした薬液の直接散布においては、時間の経過とともに薬液が流出し、特に降雨などがあれば雨水とともに薬液が流されて効果が激減するばかりでなく、下水溝、処理場などにこれらの薬液が流入し、トラブルの原因となるなどの問題点がある。
【０００３】
一方、例えば特許文献１（特開２０００−５３４５４号公報）などに、膨張性頁岩および土木汚泥を含有する原料を造粒し、焼成して得られた人工骨材、および膨張性頁岩を粉砕、篩分けして得られた所定粒径の頁岩と土木汚泥を含有する原料を造粒し、焼成した後、篩分けを行う人工骨材の製造方法が記載されている。このような人工骨材は、ＪＩＳ  Ａ  ５００２に規定される構造用軽量コンクリート骨材として、例えば高層ビルの躯体コンクリート部分に使用してビルの重量を軽減することができる。
【０００４】
特許文献１に記載の人工骨材の製造工程の一例を図１に示す。
一方、焼結合金などの多孔質の物体は内部に空隙を有するため、この中に潤滑油を含浸させて無給油軸受とするなどの利用がなされている。
【０００５】
【特許文献１】
特開２０００−５３４５４号公報（第１─４頁、図１、２）
【０００６】
【発明が解決しようとする課題】
本発明は、前記の人工骨材が多孔質で、かつ空隙が互いに連通していることを利用してこれを薬液の担体として利用し、長期に渡って内部に薬液を保持し、徐々に流出させる薬品処理材を実現することを目的とする。
【０００７】
【課題を解決するための手段】
本発明の薬品処理材は、膨張性頁岩を焼成して得られた粒度範囲が  ０．６〜５０ｍｍである人工骨材と、この人工骨材を担体として前記人工骨材の空隙内に含浸、残留させた薬液とからなることを特徴とし、望ましくは薬液が除草薬であるか、薬液が脱臭薬であるか、薬液が殺虫薬であるか、薬液が肥料であるか、あるいは薬液が水処理剤であるか、さらにはまた薬液が表面張力緩和剤である前記の薬品処理材である。
【０００８】
また本発明の薬品処理材の製造方法は、膨張性頁岩を焼成して発泡させ、篩分けして得られた人工骨材を  ３００〜５００  ℃に加熱し、常温の薬液内に投入して空隙内に薬液を含浸させることを特徴とする。
【０００９】
【発明の実施の形態】
膨張性頁岩を焼成し、発泡させ篩分けして得られた粒度範囲０．６  〜５０ｍｍの人工骨材は、嵩密度０．５０、粒子毎の粒子密度１．０６、実積率は４７％で、粒子間空隙率は５３％に達し、個々の粒子が持つ空隙率は２８％、粒子間を含む総空隙率は８１％に達する。
【００１０】
なお、粒径０．６  ｍｍ未満の微粒になると空隙は微量となり、このような空隙量は得られない。逆に５０ｍｍを超えると比表面積が減って含浸効率が悪くなる。
本発明の薬品処理材は、この空隙内に薬液を含浸させて前記人工骨材を薬剤の担体として使用したことを特徴とする。
含浸させる手段としては、篩分けして得られた人工骨材を  ３００〜５００  ℃に加熱し、常温の薬液内に投入する「熱間吸水」によるのが望ましい。空隙内の空気が急冷されることによって空隙内が負圧となり、この圧力差によって周囲から空隙内に薬液が侵入し、含浸させた状態で取り出すことができる。なお、元の薬剤が液体でなく粉末であれば、水溶液にした上で骨材を投入すればよい。
【００１１】
本発明ではこのように人工骨材の空隙内に浸漬により含浸させるが、膨張性頁岩を焼成し、発泡させた人工骨材においてはその空隙が互いに連通しているために浸漬、含浸が可能なのであり、空隙が互いに独立しているような薬剤発泡等の多孔質体は利用することができない。
加熱範囲が  ３００℃に満たないときはこの吸引効果が弱いので十分な含浸が行われない。また  ５００℃超に加熱すると人工骨材そのものが熱衝撃により破損してしまい、微細化してしまうので含浸効果を得ることができない。
【００１２】
本発明の担体においては、内部の空隙内に薬剤が担持されているので、降雨などがあってもごく微量が流れ出るだけで内部のものはそのまま残っており、長期にわたって徐々に流出してその薬効を維持し、排水系統に多量に流入することもない。
【００１３】
【実施例】
本発明の第１の実施形態は、前記の人工骨材を担体として、空隙内に薬液を含浸、残留させた薬品処理材である。
さらに、含浸させる薬液によってさまざまな用途がある。
まず、薬液が除草薬である場合は、本発明の薬品処理材は、すなわち除草剤である。除草薬はさまざまなものが市販されている。ゴルフ場、道路脇、道路分離帯、送電線下の空地など、使用箇所はまちまちであるが、従来のように直接除草薬を散布したのでは直後には効果を示すけれども降雨等による流失で効果が激減し、一方これらが流入する下水処理施設においては除草薬による悪影響が現れるなどの問題があったが、本発明の除草剤を使用すると降雨にあっても大量に流失することなく、逆に雨水によって徐々に薬液が滲み出て効果を維持し、また下水処理にほとんど悪影響がない。
【００１４】
薬液として酸化第一鉄などの脱臭薬を使用すれば、本発明の薬品処理材は、すなわち脱臭剤であり、活性炭の３０倍と言われる脱臭効果を示す。
薬液として殺虫薬を使用すれば、本発明の薬品処理材は、すなわち殺虫剤となる。殺虫薬はさまざまなものが市販されている。本発明の殺虫剤を紙袋に詰めて下水枡に吊るしておくだけでぼうふら退治などを行うこともできる。
【００１５】
薬液としてハイポネックス等の名称で市販されている液体肥料を使用すると、本発明の薬品処理材は固形肥料となり、鉢植えや水耕栽培などに使用することができる。
従来市販のパーライト（真珠岩）等を担体とすると、空隙は多いので当初の保持率は高いが、比重が軽いため雨や水やり等による流失が大きく、効果が持続しない。本発明品ではそのようなことがない。
【００１６】
薬液としてゼオライトを使用し、水処理におけるりんの吸収用として使用することもできる。
本発明の薬品処理材は、大気中に置いて雨水によって薬液が滲みでるようにしてもよいし、水中に投入して使用することもできる。
さらに、薬液として低級アルコール化合物、グリコールエーテル等、収縮低減作用のある表面張力緩和剤を使用し、これを含浸させた人工骨材を従来の砂や細骨材に混入してコンクリートを製造することにより、硬化に伴うコンクリート製品の収縮を低減させることができる。セメント、水との混練、硬化の過程で骨材から薬液がコンクリート内部に滲み出して表面張力を緩和させることによりコンクリート製品の収縮が低減される。図２はその試験結果を示すグラフで、縦軸は収縮を歪（無次元）、横軸は経過時間（日数）である。混入割合は、砂の３０ないし５０％、砂利および砂の全骨材に対して１０〜２０％程度で、これ以上混入してもあまり効果に変わりがなく、またこれ以下では効果が少ない。
【００１７】
【発明の効果】
本発明によれば、大気中、あるいは水中で使用可能であり、各種薬品処理を効果的に行い、かつその効果を長期に渡って保持することができる薬品処理材が実現するという、すぐれた効果を奏する。
【図面の簡単な説明】
【図１】本発明に使用する人工骨材の製造方法の一例を示す工程図である。
【図２】本発明の薬品処理材をコンクリートの収縮低減用に使用した場合の効果を示すグラフである。
【図１】
2004224728.tif 000002
【図２】
2004224728.tif 000003